(57)【要約】ディスク（Ａ）を回転させるディスク回転機構と、ディスク（Ａ）の回転中に読み取り面を清掃するための清掃部材（１４）と、清掃部材（１４）を読み取り面に接触させる押圧部材（１６）とを有するディスククリーナであって、ディスク（Ａ）が回転する清掃中には、ディスク（Ａ）の径方向に押圧部材（１６）を移動させ、清掃終了時には、ディスク（Ａ）の記録領域外に押圧部材（１６）を到達させる移動機構を備える。
2004055810.tif 000002
【特許請求の範囲】
【請求項１】
ディスクを回転させるディスク回転機構と、上記ディスクの回転中に読み取り面を清掃するための清掃部材と、上記清掃部材を上記読み取り面に接触させる押圧部材とを有するディスククリーナであって、
上記ディスクが回転する清掃中には、ディスクの径方向に上記押圧部材を移動させ、清掃終了時には、ディスクの記録領域外に上記押圧部材を到達させる移動機構を備えたことを特徴とする、ディスククリーナ。
【請求項２】
上記移動機構は、上記ディスクの内周側から外周側へと上記押圧部材を移動させる、請求項１に記載のディスククリーナ。
【請求項３】
上記移動機構は、清掃終了時に上記ディスクの外周よりさらに外側に上記押圧部材を到達させる、請求項１または２に記載のディスククリーナ。
【請求項４】
シャッタおよび開口部を有するディスクカートリッジ内に上記ディスクが収容され、上記シャッタを開けた状態で現れる上記開口部の外側縁部と上記ディスクとの隙間から上記ディスクカートリッジ外にわたる板状部材をさらに有し、上記移動機構は、清掃終了時に上記板状部材の上方に上記押圧部材を到達させる、請求項１ないし３のいずれかに記載のディスククリーナ。
【請求項５】
上記清掃部材は、清掃布であって、上記押圧部材と上記読み取り面との間をすり抜けるように設けられ、この清掃部材を清掃中に巻き取るための巻き取り機構をさらに有する、請求項１ないし４のいずれかに記載のディスククリーナ。
【請求項６】
上記清掃部材の巻き取り方向は、上記押圧部材の移動方向に対して交差する、請求項５に記載のディスククリーナ。
【請求項７】
上記清掃部材の巻き取り方向は、上記押圧部材の移動方向に対して逆向きをなす、請求項５に記載のディスククリーナ。
【請求項８】
上記押圧部材は、弾性体からなる、請求項１ないし７のいずれかに記載のディスククリーナ。
【請求項９】
上記押圧部材は、上記清掃部材を上記読み取り面側に押し出すための尖端部を有する、請求項８に記載のディスククリーナ。
【請求項１０】
上記清掃部材と押圧部材とのセットは、上記ディスクの両面を清掃可能に２セット設けられている、請求項１にないし９のいずれかに記載のディスククリーナ。
【発明の詳細な説明】
【技術分野】  本発明は、たとえばＣＤ、ＤＶＤ、ＭＤ、ＭＯディスクなどといったディスクメディアを清掃するためのディスククリーナに関する。
【背景技術】  従来のディスククリーナは、たとえば特公平８−１４９７２号公報や、特開平３−４９０８６号公報に示されるように、押圧部材（押出突起）により清掃布をディスクの読み取り面に押し当て、ディスクが回転するのに伴い読み取り面上のゴミを清掃布で拭き取るようにして清掃を行うように構成されている。このような押圧部材は、ディスクの径方向に動かないように固定されている。
しかしながら、従来のようにディスクが回転して清掃を行う間、押圧部材がディスクの径方向に動かずにいると、定位置にある清掃布と読み取り面との接触部分に多くのゴミが集積し、ゴミの取りこぼしが生じやすい。つまり、従来のディスククリーナでは、清掃終了時にディスクの回転を停止して押圧部材を読み取り面から離すと、ディスクの径方向に沿って線状をなすようにゴミの拭き取り跡がつき、ディスクの記録領域上にまでそのような跡形を残してしまう問題があった。
【発明の開示】
そこで、本発明の目的は、ディスクの記録領域上にゴミの拭き取り跡を残さないようにすることができるディスククリーナを提供することにある。
本発明によれば、ディスクを回転させるディスク回転機構と、上記ディスクの回転中に読み取り面を清掃するための清掃部材と、上記清掃部材を上記読み取り面に接触させる押圧部材とを有するディスククリーナであって、上記ディスクが回転する清掃中には、ディスクの径方向に上記押圧部材を移動させ、清掃終了時には、ディスクの記録領域外に上記押圧部材を到達させる移動機構を備えたことを特徴とする、ディスククリーナが提供される。
好ましい実施の形態としては、上記移動機構は、上記ディスクの内周側から外周側へと上記押圧部材を移動させる構成とすることができる。
好ましい実施の形態としては、上記移動機構は、清掃終了時に上記ディスクの外周よりさらに外側に上記押圧部材を到達させる構成とすることができる。
好ましい実施の形態としては、シャッタおよび開口部を有するディスクカートリッジ内に上記ディスクが収容され、上記シャッタを開けた状態で現れる上記開口部の外側縁部と上記ディスクとの隙間から上記ディスクカートリッジ外にわたる板状部材をさらに有し、上記移動機構は、上記板状部材の上方に上記押圧部材を到達させる構成とすることができる。
好ましい実施の形態としては、上記清掃部材は、清掃布であって、上記押圧部材と上記読み取り面との間をすり抜けるように設けられ、この清掃部材を清掃中に巻き取るための巻き取り機構をさらに有する構成とすることができる。
好ましい実施の形態としては、上記清掃部材の巻き取り方向は、上記押圧部材の移動方向に対して交差する構成とすることができる。
好ましい実施の形態としては、上記清掃部材の巻き取り方向は、上記押圧部材の移動方向に対して逆向きをなす構成とすることができる。
好ましい実施の形態としては、上記押圧部材は、弾性体からなる構成とすることができる。
好ましい実施の形態としては、上記押圧部材は、上記清掃部材を上記読み取り面側に押し出すための尖端部を有する構成とすることができる。
好ましい実施の形態としては、上記清掃部材と押圧部材とのセットは、上記ディスクの両面を清掃可能に２セット設けられている構成とすることができる。
本発明のその他の特徴および利点は、図面を参照して以下に行う発明の実施の形態の説明から、より明らかになるであろう。
【図面の簡単な説明】  図１は、第１の実施形態の要部を示す上面図である。
図２は、第１の実施形態の一部を示す斜視図である。
図３は、第１の実施形態の一部を示す側面図である。
図４は、第１の実施形態の一部を示す斜視図である。
図５は、第２の実施形態の要部を示す上面図である。
図６は、第３の実施形態の要部を示す斜視図である。
図７は、第３の実施形態による動作を説明するための説明図である。
図８は、第３の実施形態による動作を説明するための説明図である。
図９は、第３の実施形態による動作を説明するための説明図である。
図１０は、第３の実施形態による動作を説明するための説明図である。
図１１は、第３の実施形態による動作を説明するための説明図である。
図１２は、第４の実施形態を示す上面図である。
図１３は、第４の実施形態を示す側面図である。
図１４は、第４の実施形態の要部を示す側面図である。
図１５は、第５の実施形態を示す斜視図である。
図１６は、第５の実施形態を示す断面図である。
図１７は、押圧部材の変形例を示す斜視図である。
図１８は、第１，２の実施形態の変形例を説明するための説明図である。
図１９は、第３の実施形態の変形例を説明するための説明図である。
【発明を実施するための最良の形態】  以下、本発明の好ましい実施の形態を、図面を参照して具体的に説明する。
図１は、第１の実施形態の要部を示す上面図、図２は、その一部を示す斜視図、図３は、その一部を示す側面図、図４は、その一部を示す斜視図である。
第１の実施形態に係るディスククリーナは、たとえばＣＤ、ＤＶＤなどといったディスクＡの専用クリーナであって、クリーナ本体の内部に、モータ１０、ウォームギア１１ａ，１１ｂ、ディスク回転用ギア１１ｃ、ディスク回転用ベルト１１ｄ、ディスクスピンドル１１ｅ、減速ギア１１ｆ、カートリッジシェル１２、伝動ギア１３ａ、移動ベルト１３ｂ、清掃布（清掃部材）１４、巻き取りボビン１５ａ，１５ｂ、押圧部材１６、ガイドロッド１７などを備える。ディスクＡは、これらの上方で読み取り面が下向きの姿勢とされ、ハブＡ１をディスクスピンドル１１ｅに一致させるようにしてクリーナ本体にセットされる。ディスクＡは、内周側の破線Ａ３から外周側の破線Ａ４までの範囲を記録領域として有する。
モータ１０、ウォームギア１１ａ，１１ｂ、ディスク回転用ギア１１ｃ、ディスク回転用ベルト１１ｄ、ディスクスピンドル１１ｅ、および減速ギア１１ｆは、クリーナ本体内部の所定箇所に設けられている。これら以外の伝動ギア１３ａ、移動ベルト１３ｂ、清掃布１４、巻き取りボビン１５ａ，１５ｂ、押圧部材１６、ガイドロッド１７は、クリーナ本体に対して脱着可能なカートリッジシェル１２に設けられている。ウォームギア１１ａ、ディスク回転用ギア１１ｃ、ディスク回転用ベルト１１ｄ、ディスクスピンドル１１ｅは、ディスクＡを回転させるディスク回転機構を構成する。ウォームギア１１ｂ、減速ギア１１ｆ、伝動ギア１３ａ、移動ベルト１３ｂ、ガイドロッド１７は、ディスクＡの径方向に押圧部材１６を移動させる移動機構を構成する。巻き取りボビン１５ａ，１５ｂは、清掃布１４を手動で巻き取るための巻き取り機構を構成する。
モータ１０が駆動すると、ウォームギア１１ａ、ディスク回転用ギア１１ｃ、ディスク回転用ベルト１１ｄ、およびディスクスピンドル１１ｅを介してディスクＡが回転する。同時に、押圧部材１６は、ウォームギア１１ｂ、減速ギア１１ｆ、伝動ギア１３ａ、移動ベルト１３ｂ、ガイドロッド１７を介し、ディスクＡの径方向に沿って内周側から外周側へと移動する。図１や図３に一点鎖線で示すように、押圧部材１６がディスクＡの外周Ａ２より外側の位置に達した時点でモータ１０の駆動が停止し、ディスクＡと押圧部材１６とが同時に停止する。なお、押圧部材１６は、清掃開始前にディスクＡの内周側にセットしておく。モータ１０は、駆動開始から押圧部材１６が所定位置に達するまでの時間を計るウォッチドックタイマ機能や、あるいは所定位置に達した押圧部材１６を直接検出するリミットスイッチ機能などを備えたマイクロコンピュータにより制御される。また、ディスクＡが回転する  のに対して押圧部材１６が比較的ゆっくりと移動するように、ギア比などが適当に決められている。
清掃布１４は、たとえば不織布からなる。清掃布１４は、その両端が一対の巻き取りボビン１５ａ，１５ｂに取り付けられ、ディスクＡの読み取り面と押圧部材１６との間をすり抜けるように架け渡されている。このような清掃布１４は、押圧部材１６によってディスクＡ側に押し出された部分が読み取り面に接触し、この接触部分で読み取り面上のゴミを拭き取る。巻き取りボビン１５ａ，１５ｂの一方を手で回転させると、清掃布１４の未使用部分が読み取り面との接触部分まで繰り出され、使用済みの部分が巻き取られる。清掃布１４の巻き取り方向は、押圧部材１６が移動する方向とは交差するようになされている。また、押圧部材１６には、図４に示すように、清掃布１４を押圧する部分にゴムなどの弾性体からなるパッド１６Ａが設けられている。このパッド１６Ａにより読み取り面に対して清掃布１４が弾力的に接触した状態とされる。
次に、清掃手順について説明する。
清掃開始前には、カートリッジシェル１２をクリーナ本体から取り外した状態で、押圧部材１６が記録領域内周ラインＡ３より内側に位置するようにセットしておく。また、巻き取りボビン１５ａ，１５ｂの一方を回転させ、清掃布１４の未使用部分を繰り出しておく。その後、クリーナ本体内部にカートリッジシェル１２を装着し、減速ギア１１ｆに伝動ギア１３ａを噛み合わせる。さらに、読み取り面を下向きにしてハブＡ１をディスクスピンドル１１ｅに固定し、ディスクＡをクリーナ本体にセットする。
清掃開始時には、モータ１０の駆動に伴いディスクＡが回転し、同時に押圧部材１６がディスクＡの内周側から外周側へと移動し始める。このとき、押圧部材１６に押し出された清掃布１４の一部がディスクＡの読み取り面に接触し、この清掃布１４の接触部分により読み取り面上のゴミが拭き取られる。そして、押圧部材１６が移動するのに伴い、清掃布１４の接触部分もディスクＡの内周側から外周側へと移動する。そのため、読み取り面上においては、内周側から外周側へと連続的にゴミが拭き取られていく。
清掃終了時には、押圧部材１６がディスクＡの外周Ａ２より外側に位置した状態でモータ１０の駆動が停止し、それに応じてディスクＡの回転も停止する。このとき、押圧部材１６に押し出された清掃布１４の一部は、ディスクＡの記録領域外周ラインＡ４より外側に存在し、もはや読み取り面にも接触していないので、ディスクＡの記録領域上にゴミが集積することなく、拭き取り跡が残ることもない。
したがって、第１の実施形態によれば、ディスクＡの回転を停止して清掃を終了する時点では、ゴミの拭き取り部分として押圧部材１６に押し出された清掃部材の一部がディスクＡの記録領域上に無く、読み取り面とも接触しない状態とされるので、記録領域を含むディスクＡの読み取り面全体にわたりゴミの拭き取り跡を残さないようにすることができる。
次に、第２の実施形態について説明する。なお、先述した第１の実施形態と同様の点については、説明を省略する。
図５は、第２の実施形態の要部を示す上面図である。第２の実施形態に係るディスククリーナも、ディスクＡの専用クリーナであって、クリーナ本体の内部に、モータ２０、プーリー２１ａ、駆動ギア２１ｂ、プーリーベルト２１ｄ、ディスクスピンドル２１ｅ、カートリッジシェル２２、第１，第２連動ギア２３ａ，２３ｂ、押圧移動用ウォームギア２３ｄ、押圧移動用伝動ギア２３ｅ、移動ベルト２３ｆ、清掃布２４、巻き取りボビン２５ａ，２５ｂ、押圧部材２６、ガイドロッド２７などを備える。
モータ２０、プーリー２１ａ、駆動ギア２１ｂ、プーリーベルト２１ｄ、およびディスクスピンドル２１ｅは、クリーナ本体内部の所定箇所に設けられている。これら以外の第１，第２連動ギア２３ａ，２３ｂ、押圧移動用ウォームギア２３ｄ、押圧移動用伝動ギア２３ｅ、移動ベルト２３ｆ、清掃布２４、巻き取りボビン２５ａ，２５ｂ、押圧部材２６、ガイドロッド２７は、カートリッジシェル２２に設けられている。プーリー２１ａ、プーリーベルト２１ｄ、ディスクスピンドル２１ｅは、ディスクＡを回転させるディスク回転機構を構成する。駆動ギア２１ｂ、第１，２連動ギア２３ａ，２３ｂ、押圧移動用ウォームギア２３ｄ、押圧移動用伝動ギア２３ｅ、移動ベルト２３ｆ、ガイドロッド２７は、ディスクＡの径方向に押圧部材２６を移動させる移動機構を構成する。駆動ギア２１ｂ、第１連動ギア２３ａ、巻き取りボビン２５ａ，２５ｂは、清掃布２４を清掃中に自動的に巻き取るための巻き取り機構を構成する。
モータ２０が駆動すると、プーリー２１ａ、プーリーベルト２１ｄ、およびディスクスピンドル２１ｅを介してディスクＡが回転する。同時に、押圧部材２６は、駆動ギア２１ｂ、第１，２連動ギア２３ａ，２３ｂ、押圧移動用ウォームギア２３ｄ、押圧移動用伝動ギア２３ｅ、移動ベルト２３ｆ、ガイドロッド２７を介し、ディスクＡの径方向に沿って内周側から外周側へと移動する。押圧部材２６がディスクＡの外周Ａ２より外側の位置に達した時点でモータ２０の駆動が停止するなどの点は、第１の実施形態と同様である。
押圧部材２６は、清掃開始前、モータ２０を駆動させて図中矢印で示す方向とは反対方向に各ギアを回転させることにより、自動的にディスクＡの内周側にセットされる。このとき、第１，２連動ギア２３ａ，２３ｂが回転し、第２連動ギア２３ｂと同軸に固定された押圧移動用ウォームギア２３ｄが回転することで押圧部材２６が左方向に移動する。一方、第１連動ギア２３ａと巻き取りボビン２５ａとは、図示しないワンウェイクラッチを介して連結されている。そのため、第１連動ギア２３ａが図中矢印で示す方向とは反対方向に回転しても、巻き取りボビン２５ａは回転せずに静止した状態とされる。つまり、一方の巻き取りボビン２５ａは、第１連動ギア２３ａが図中矢印で示す方向に回転するときだけ同方向に回転し、他方の巻き取りボビン２５ｂは、清掃布２４が引き出されることで自ずと回転する。
清掃布２４は、押圧部材２６によってディスクＡ側に押し出された部分で読み取り面上のゴミを拭き取る点などは先述の実施形態と同様であるが、清掃中に一方の巻き取りボビン２５ａが回転するため、常に未使用部分が繰り出される。そのため、読み取り面に対する清掃布２４の接触部分は、押圧部材２６の移動とともにディスクＡの内周側から外周側へと移動しつつも、常にゴミの付着していない新しい部分とされる。
カートリッジシェル２２がクリーナ本体に取り付けられた後、清掃開始直前には、記録領域内周ラインＡ３より内側の位置へと押圧部材２６が自動的に移動する。
そして、清掃を開始すると、モータ２０の駆動に伴いディスクＡが回転し、同時に押圧部材２６がディスクＡの内周側から外周側へと移動し始める。このとき、同時に巻き取りボビン２５ａが回転するため、読み取り面との接触部分には、清掃布２４の未使用部分が繰り出される。そのため、読み取り面上においては、清掃布２４の接触部分が内周側から外周側へと連続的に移動しつつ、常にゴミの付着していない未使用部分によってゴミが拭き取られていく。
清掃終了時における押圧部材２６の位置は、先述の実施形態と同様にディスクＡの外周Ａ２より外側の位置とされ、これにより、ディスクＡの記録領域上にゴミの拭き取り跡が残ることはない。
したがって、第２の実施形態によっても、第１の実施形態と同様の効果が得られる。また、清掃中に清掃布２４が巻き取られることで常に新しい清掃布２４の一部が読み取り面に接触させられるので、ゴミの拭き取り効果をより高めることができる。清掃布２４が読み取り面から離れる瞬間にしても、その時点での接触部分に付着したゴミが少量とされるので、ゴミの取りこぼしを最小限に抑えることができる。
次に、第３の実施形態について説明する。なお、先述した第１あるいは第２の実施形態と同様の点については、説明を省略する。
図６は、第３の実施形態の要部を示す斜視図、図７〜図１１は、第３の実施形態による動作を説明するための説明図である。第３の実施形態に係るディスククリーナも、ディスクＡの専用クリーナである。クリーナ本体の内部には、押圧移動用モータ３０、押圧移動用円板３１、連結アーム３２、電磁アクチュエータ３３、支持リング３４、押圧部材３５、カートリッジシェル３６、清掃布３７、巻き取りボビン３８ａ，３８ｂ、巻き取り用モータ３９などを備える。
押圧移動用モータ３０、押圧移動用円板３１、連結アーム３２、電磁アクチュエータ３３、支持リング３４、押圧部材３５、および巻き取り用モータ３９は、クリーナ本体内部の所定箇所に設けられている。これら以外の清掃布３７と巻き取りボビン３８ａ，３８ｂとは、カートリッジシェル３６に設けられている。特に図示しないが、ディスク回転機構としては、専用のモータなどがクリーナ本体内部に内蔵されている。押圧移動用モータ３０、押圧移動用円板３１、連結アーム３２、電磁アクチュエータ３３、支持リング３４は、ディスクＡの径方向に押圧部材３５を移動させる移動機構を構成する。巻き取りボビン３８ａ，３８ｂ、巻き取り用モータ３９は、清掃布３７を清掃中に自動的に巻き取るための巻き取り機構を構成する。
押圧移動用円板３１の外周付近には、連結アーム３２の基端部がピン３１ａを介して回転自在に取り付けられている。連結アーム３２の先端部には、押圧部材３５が固定されている。この連結アーム３２は、ある程度自由な動きが可能に支持リング３４に挿通された状態で支持されている。このような連結アーム３２は、押圧移動用モータ３０の駆動により押圧移動用円板３１が回転すると、支持リング３４を中心に揺動する。そのため、連結アーム３２の先端部に固定された押圧部材３５は、清掃布３７の直下で概ね径方向に沿って円弧を描くように移動する。電磁アクチュエータ３３は、支持リング３４を上下に変位させる。具体的には、清掃布３７の直下を押圧部材３５が移動する際、支持リング３４が最上部まで引き上げられ、これにより押圧部材３５が清掃布３７を読み取り面側に押し出す。一方、清掃布３７の直下から外れた範囲を押圧部材３５が移動する際には、支持リング３４が最下部まで引き下げられるので、清掃布３７が読み取り面に対して接触しない状態とされる。巻き取りボビン３８ａには、接続ギア３９ａを介して巻き取り用モータ３９の駆動軸が連結されている。この巻き取りボビン３８ａが清掃中に回転するため、常に清掃布３７の未使用部分が繰り出される。清掃布３７の巻き取り方向は、清掃布３７の直下を押圧部材３５が接しながら移動する際の方向とは逆向きをなす。これにより、清掃布３７の同一部分が常に接触部分になることはない。
清掃手順としては、清掃開始直前、図６ないし図９に示すように、記録領域内周ラインＡ３より内側に押圧部材３５が位置する。また、支持リング３４が最上部に位置することで、押圧部材３５が清掃布３７の一部をディスクＡ側に押し出し、その清掃布３７の一部がディスクＡの読み取り面に接触する。
そして、ディスクＡを回転させて清掃を開始すると、押圧移動用モータ３０が駆動し、それに応じて押圧部材３５は、図７に破線で示す円弧状軌跡に沿ってディスクＡの内周側から外周側へと移動し始める。このとき、同時に巻き取りボビン３８ａが回転するため、読み取り面との接触部分には、清掃布３７の常に新しい部分が繰り出される。
図１０および図１１に示すように、ディスクＡの外周Ａ２より外側の位置に押圧部材３５が達すると、ディスクＡの回転が停止させられ、巻き取りボビン３８ａの回転も停止させられる。これにより、ディスクＡの記録領域上にゴミの拭き取り跡が残ることはない。
そして、次の清掃に備えるべく、押圧移動用モータ３０が引き続き駆動するとともに、支持リング３４が最下部に位置する。これにより、押圧部材３５は、図７に一点鎖線で示す円弧状軌跡に沿って移動し、清掃布３７から一旦離れた状態となる。最終的に、押圧部材３５は、再び清掃開始直前の位置まで戻る。
したがって、第３の実施形態によっても、第２実施形態と同様に、ゴミの拭き取り跡を残さないといった効果や、拭き取り効果をより高めるといった効果を得ることができる。
次に、第４の実施形態について説明する。なお、先述した第１ないし第３の実施形態と同様の点については、説明を省略する。
図１２は、第４の実施形態を示す上面図、図１３は、その側面図、図１４は、その要部を示す側面図である。第４の実施形態に係るディスククリーナも、ディスクＡの専用クリーナである。クリーナ本体の内部には、ディスク回転用モータ４０ａ、ディスク回転用ベルト４０ｂ、ディスク回転軸４０ｃ、ステージ移動用モータ４１ａ、プーリー４１ｂ、プーリーベルト４１ｃ、スライドステージ４２ａ、スライドガイド４２ｂ、清掃カートリッジ４３、清掃布４４、巻き取りボビン４５ａ，４５ｂ、押圧部材４６、巻き取り用モータ４７などを備える。
ディスク回転用モータ４０ａ、ディスク回転用ベルト４０ｂ、ディスク回転軸４０ｃ、ステージ移動用モータ４１ａ、プーリー４１ｂ、プーリーベルト４１ｃ、スライドステージ４２ａ、およびスライドガイド４２ｂは、クリーナ本体内部の所定箇所に設けられている。スライドステージ４２ａは、プーリーベルト４１ｃに連結されているとともに、ディスクＡの径方向に沿ってスライド可能となるようスライドガイド４２ｂに支持されている。これら以外の清掃カートリッジ４３、清掃布４４、巻き取りボビン４５ａ，４５ｂ、押圧部材４６、巻き取り用モータ４７は、スライドステージ４２ａ上に設けられている。特に、清掃布４４、巻き取りボビン４５ａ，４５ｂ、押圧部材４６については、清掃カートリッジ４３内に設けられている。清掃カートリッジ４３は、位置決め用のピンやボスを介してスライドステージ４２ａ上の定位置に固定されている。
ディスク回転用モータ４０ａ、ディスク回転用ベルト４０ｂ、ディスク回転軸４０ｃは、ディスクＡを回転させるディスク回転機構を構成する。ステージ移動用モータ４１ａ、プーリー４１ｂ、プーリーベルト４１ｃ、スライドステージ４２ａ、およびスライドガイド４２ｂは、ディスクＡの径方向に押圧部材４６を移動させる移動機構を構成する。巻き取りボビン４５ａ，４５ｂ、巻き取り用モータ４７は、清掃布４４を清掃中に自動的に巻き取るための巻き取り機構を構成する。
ディスク回転用モータ４０ａが駆動すると、ディスク回転用ベルト４０ｂおよびディスク回転軸４０ｃを介してディスクＡが回転する。ステージ移動用モータ４１ａが駆動すると、プーリー４１ｂ，４１ｂ、プーリーベルト４１ｃ、およびスライドガイド４２ｂを介してスライドステージ４２ａがディスクＡの径方向に水平移動する。巻き取り用モータ４７が駆動すると、清掃カートリッジ４３内に収容された一方の巻き取りボビン４５ａが回転し、清掃布４４が巻き取られる。
図１４に示すように、押圧部材４６は、ローラからなる。この押圧部材４６は、バネ４６ａや支持部材４６ｂを介して清掃布４４を下方から弾性的に押し上げるように設けられている。清掃布４４が巻き取られる際には、この清掃布４４に密着した状態で押圧部材４６が回転する。清掃布４４は、押圧部材４６によってディスクＡ側に押し出された部分で読み取り面上のゴミを拭き取る点や、清掃中に一方の巻き取りボビン４５ａが回転するなどの点で先述の実施形態と同様である。また、各モータ４０ａ，４１ａ，４７の制御も、先述した清掃手順と同様の手順とした上で、ディスクＡの回転や押圧部材４６の移動、さらには清掃布４４の巻き取りなどを自動的に行う点では同様である。
先述の実施形態と相違する点としては、カートリッジ４３そのものがスライドステージ４２ａとともにディスクＡの内周側から外周側へと移動させられる点にある。このような実施形態としても、押圧部材４６がディスクＡの内周側から外周側へと移動する点では何ら変わりない。また、押圧部材４６がディスクＡの読み取り面に対して清掃布４４を弾性的に押し付けているので、清掃布４４で拭き取りにくい比較的大きくて硬質のゴミなどによる読み取り面の傷付きを効果的に防止することができる。その他の効果としては、先述した実施形態と同様の効果を挙げることができる。
次に、第５の実施形態について説明する。なお、先述した第１ないし第４の実施形態と同様の点については、説明を省略する。
図１５は、第５の実施形態を示す斜視図、図１６は、その断面図である。この実施形態に係るディスククリーナは、たとえばＭＤ、ＭＯディスクなどのディスクカートリッジＢ０に収容された内蔵ディスクＢ専用のものである。クリーナ本体５０内には、ディスクカートリッジＢ０がセットされる。ディスクカートリッジＢ０をセットした後、ディスクカートリッジＢ０のシャッタＢ１が開けられることで開口部Ｂ２が外部に臨む状態とされ、この開口部Ｂ２を通じて内蔵ディスクＢを清掃する。内蔵ディスクＢの清掃には、特に図示しないが、先述した第１ないし第３の実施形態と同様の構成を備えたカートリッジシェル１２，２２，３６などが用いられる。カートリッジシェル１２，２２，３６は、第１ないし第３の実施形態とは上下逆さまにした姿勢で開口部Ｂ２に清掃布１４，２４，３７が対面するようにセットされる。
特に第１ないし第３の実施形態と相違する点として、クリーナ本体５０には、図１６に良く示すように、開口部Ｂ２の外側縁部Ｂ２ａと内蔵ディスクＢの外周Ｂ３との間に生じる隙間からディスクカートリッジＢ０外へと延びる薄板状の板状部材５１が設けられている。板状部材５１の先端には、開口部Ｂ２の外側縁部Ｂ２ａに引っかかる爪５１ａが設けられており、その基端は、ヒンジを介して回転可能に軸５２に取り付けられている。このような板状部材５１については、ディスクカートリッジＢ０のシャッタＢ１を開けた後、開口部Ｂ２の外側縁部Ｂ２ａに爪５１ａをかけるようにしてセットする。さらにその後、開口部Ｂ２の上方にカートリッジシェル１２，２２，３６をセットした後、内蔵ディスクＢの清掃が先述した清掃手順と同様の手順とした上で行われる。
そうした場合、清掃終了時には、押圧部材１６，２６，３５が板状部材５１の直上に位置した状態となる。このとき、押圧部材１６，２６，３５によって内蔵ディスクＢ側（下方）に押し出された清掃布１４，２４，３７の一部から十分付着しきれなかったゴミがこぼれ落ちることもある。たとえゴミがこぼれ落ちたとしても、そのようなゴミは、ほとんどが板状部材５１に受け止められるので、記録領域を含む内蔵ディスクＢの読み取り面上や、ディスクカートリッジＢ０内にゴミを残さないようにすることができる。
したがって、第５の実施形態によれば、ＭＤ、ＭＯディスクなどの内蔵ディスクＢの清掃に適したものとして利用でき、先述した実施形態と同様の効果を得ることができる。
なお、本発明は、上記の各実施形態に限定されるものではない。
たとえば、第１の実施形態の変形例としては、図１７に示すように、清掃布１４を押圧する部分としてゴムなどの弾性体からなり、ある程度尖った尖端形状のパッド１６Ｂを押圧部材１６に設けるようにしても良い。このようなパッド１６Ｂによれば、ディスクＡの読み取り面に対して清掃布１４を線接触させた状態で弾性的に押し付けるので、比較的大きくて硬質のゴミなどを清掃布４４に巻き込みにくくし、そのようなゴミによる読み取り面の傷付きを効果的に防止することができる。もちろん、このようなパッド１６Ｂは、第１の実施形態に限らず他の実施形態でも採用することができる。
第１，２の実施形態の変形例としては、図１８に示すように、同じ構造を備えたカートリッジシェル１２，２２を２セット装備するとともに、これらの間にディスクＡを配置し、ディスクＡの両面を同時に清掃する構成としても良い。また、第３の実施形態の変形例としても、図１９に示すように、同様の構成としても良い。そうした場合、片面の清掃ごとにディスクＡをひっくり返す必要が無く、両面タイプのディスクＡを手間無く迅速に清掃することができる。
上記の各実施形態では、押圧部材１６，２６，３５，４６がディスクＡ，Ｂの内周側から外周側に移動するものとしたが、逆に、外周側から内周側へと移動させるようにしても良い。そうした場合、押圧部材１６，２６，３５，４６は、清掃終了時の時点で記録領域内周ラインＡ３よりも内側に位置するように移動させられる。
また、ディスクＡ，Ｂの回転が停止する清掃終了時には、押圧部材１６，２６，３５，４６がディスクＡ，Ｂの外周Ａ１，Ｂ３より完全に外側に無くても良く、記録領域外に位置しさえすれば良い。
【図１】
2004055810.tif 000003
【図２】
2004055810.tif 000004
【図３】
2004055810.tif 000005
【図４】
2004055810.tif 000006
【図５】
2004055810.tif 000007
【図６】
2004055810.tif 000008
【図７】
2004055810.tif 000009
【図８】
2004055810.tif 000010
【図９】
2004055810.tif 000011
【図１０】
2004055810.tif 000012
【図１１】
2004055810.tif 000013
【図１２】
2004055810.tif 000014
【図１３】
2004055810.tif 000015
【図１４】
2004055810.tif 000016
【図１５】
2004055810.tif 000017
【図１６】
2004055810.tif 000018
【図１７】
2004055810.tif 000019
【図１８】
2004055810.tif 000020
【図１９】
2004055810.tif 000021
【手続補正書】
【提出日】平成17年3月7日(2005.3.7)
【手続補正１】
【補正対象書類名】明細書
【補正対象項目名】全文
【補正方法】変更
【補正の内容】
【書類名】  明細書
【特許請求の範囲】
【請求項１】  ディスクを回転させるディスク回転機構と、上記ディスクの回転中に読み取り面を清掃するための清掃部材と、上記清掃部材を上記読み取り面に接触させる押圧部材とを有するディスククリーナであって、
上記ディスクが回転する清掃中には、ディスクの径方向に上記押圧部材を移動させ、清掃終了時には、ディスクの記録領域外に上記押圧部材を到達させる移動機構を備えたことを特徴とする、ディスククリーナ。
【請求項２】  上記移動機構は、上記ディスクの内周側から外周側へと上記押圧部材を移動させる、請求項１に記載のディスククリーナ。
【請求項３】  上記移動機構は、清掃終了時に上記ディスクの外周よりさらに外側に上記押圧部材を到達させる、請求項１または２に記載のディスククリーナ。
【請求項４】  シャッタおよび開口部を有するディスクカートリッジ内に上記ディスクが収容され、上記シャッタを開けた状態で現れる上記開口部の外側縁部と上記ディスクとの隙間から上記ディスクカートリッジ外にわたる板状部材をさらに有し、上記移動機構は、清掃終了時に上記板状部材の上方に上記押圧部材を到達させる、請求項１ないし３のいずれかに記載のディスククリーナ。
【請求項５】  上記清掃部材は、清掃布であって、上記押圧部材と上記読み取り面との間をすり抜けるように設けられ、この清掃部材を清掃中に巻き取るための巻き取り機構をさらに有する、請求項１ないし４のいずれかに記載のディスククリーナ。
【発明の詳細な説明】
【０００１】
【発明の属する技術分野】
本発明は、たとえばＣＤ、ＤＶＤ、ＭＤ、ＭＯディスクなどといったディスクメディアを清掃するためのディスククリーナに関する。
【０００２】
【従来の技術】
従来のディスククリーナは、たとえば特公平８−１４９７２号公報や、特開平３−４９０８６号公報に示されるように、押圧部材（押出突起）により清掃布をディスクの読み取り面に押し当て、ディスクが回転するのに伴い読み取り面上のゴミを清掃布で拭き取るようにして清掃を行うように構成されている。このような押圧部材は、ディスクの径方向に動かないように固定されている。
【０００３】
しかしながら、従来のようにディスクが回転して清掃を行う間、押圧部材がディスクの径方向に動かずにいると、定位置にある清掃布と読み取り面との接触部分に多くのゴミが集積し、ゴミの取りこぼしが生じやすい。つまり、従来のディスククリーナでは、清掃終了時にディスクの回転を停止して押圧部材を読み取り面から離すと、ディスクの径方向に沿って線状をなすようにゴミの拭き取り跡がつき、ディスクの記録領域上にまでそのような跡形を残してしまう問題があった。
【０００４】
【発明の開示】
そこで、本発明の目的は、ディスクの記録領域上にゴミの拭き取り跡を残さないようにすることができるディスククリーナを提供することにある。
【０００５】
本発明によれば、ディスクを回転させるディスク回転機構と、上記ディスクの回転中に読み取り面を清掃するための清掃部材と、上記清掃部材を上記読み取り面に接触させる押圧部材とを有するディスククリーナであって、上記ディスクが回転する清掃中には、ディスクの径方向に上記押圧部材を移動させ、清掃終了時には、ディスクの記録領域外に上記押圧部材を到達させる移動機構を備えたことを特徴とする、ディスククリーナが提供される。
【０００６】
好ましい実施の形態としては、上記移動機構は、上記ディスクの内周側から外周側へと上記押圧部材を移動させる構成とすることができる。
【０００７】
好ましい実施の形態としては、上記移動機構は、清掃終了時に上記ディスクの外周よりさらに外側に上記押圧部材を到達させる構成とすることができる。
【０００８】
好ましい実施の形態としては、シャッタおよび開口部を有するディスクカートリッジ内に上記ディスクが収容され、上記シャッタを開けた状態で現れる上記開口部の外側縁部と上記ディスクとの隙間から上記ディスクカートリッジ外にわたる板状部材をさらに有し、上記移動機構は、上記板状部材の上方に上記押圧部材を到達させる構成とすることができる。
【０００９】
好ましい実施の形態としては、上記清掃部材は、清掃布であって、上記押圧部材と上記読み取り面との間をすり抜けるように設けられ、この清掃部材を清掃中に巻き取るための巻き取り機構をさらに有する構成とすることができる。
【００１０】
好ましい実施の形態としては、上記清掃部材の巻き取り方向は、上記押圧部材の移動方向に対して交差する構成とすることができる。
【００１１】
好ましい実施の形態としては、上記清掃部材の巻き取り方向は、上記押圧部材の移動方向に対して逆向きをなす構成とすることができる。
【００１２】
好ましい実施の形態としては、上記押圧部材は、弾性体からなる構成とすることができる。
【００１３】
好ましい実施の形態としては、上記押圧部材は、上記清掃部材を上記読み取り面側に押し出すための尖端部を有する構成とすることができる。
【００１４】
好ましい実施の形態としては、上記清掃部材と押圧部材とのセットは、上記ディスクの両面を清掃可能に２セット設けられている構成とすることができる。
【００１５】
本発明のその他の特徴および利点は、図面を参照して以下に行う発明の実施の形態の説明から、より明らかになるであろう。
【００１６】
【発明の実施の形態】
以下、本発明の好ましい実施の形態を、図面を参照して具体的に説明する。
【００１７】
図１は、第１の実施形態の要部を示す上面図、図２は、その一部を示す斜視図、図３は、その一部を示す側面図、図４は、その一部を示す斜視図である。
【００１８】
第１の実施形態に係るディスククリーナは、たとえばＣＤ、ＤＶＤなどといったディスクＡの専用クリーナであって、クリーナ本体の内部に、モータ１０、ウォームギア１１ａ，１１ｂ、ディスク回転用ギア１１ｃ、ディスク回転用ベルト１１ｄ、ディスクスピンドル１１ｅ、減速ギア１１ｆ、カートリッジシェル１２、伝動ギア１３ａ、移動ベルト１３ｂ、清掃布（清掃部材）１４、巻き取りボビン１５ａ，１５ｂ、押圧部材１６、ガイドロッド１７などを備える。ディスクＡは、これらの上方で読み取り面が下向きの姿勢とされ、ハブＡ１をディスクスピンドル１１ｅに一致させるようにしてクリーナ本体にセットされる。ディスクＡは、内周側の破線Ａ３から外周側の破線Ａ４までの範囲を記録領域として有する。
【００１９】
モータ１０、ウォームギア１１ａ，１１ｂ、ディスク回転用ギア１１ｃ、ディスク回転用ベルト１１ｄ、ディスクスピンドル１１ｅ、および減速ギア１１ｆは、クリーナ本体内部の所定箇所に設けられている。これら以外の伝動ギア１３ａ、移動ベルト１３ｂ、清掃布１４、巻き取りボビン１５ａ，１５ｂ、押圧部材１６、ガイドロッド１７は、クリーナ本体に対して脱着可能なカートリッジシェル１２に設けられている。ウォームギア１１ａ、ディスク回転用ギア１１ｃ、ディスク回転用ベルト１１ｄ、ディスクスピンドル１１ｅは、ディスクＡを回転させるディスク回転機構を構成する。ウォームギア１１ｂ、減速ギア１１ｆ、伝動ギア１３ａ、移動ベルト１３ｂ、ガイドロッド１７は、ディスクＡの径方向に押圧部材１６を移動させる移動機構を構成する。巻き取りボビン１５ａ，１５ｂは、清掃布１４を手動で巻き取るための巻き取り機構を構成する。
【００２０】
モータ１０が駆動すると、ウォームギア１１ａ、ディスク回転用ギア１１ｃ、ディスク回転用ベルト１１ｄ、およびディスクスピンドル１１ｅを介してディスクＡが回転する。同時に、押圧部材１６は、ウォームギア１１ｂ、減速ギア１１ｆ、伝動ギア１３ａ、移動ベルト１３ｂ、ガイドロッド１７を介し、ディスクＡの径方向に沿って内周側から外周側へと移動する。図１や図３に一点鎖線で示すように、押圧部材１６がディスクＡの外周Ａ２より外側の位置に達した時点でモータ１０の駆動が停止し、ディスクＡと押圧部材１６とが同時に停止する。なお、押圧部材１６は、清掃開始前にディスクＡの内周側にセットしておく。モータ１０は、駆動開始から押圧部材１６が所定位置に達するまでの時間を計るウォッチドックタイマ機能や、あるいは所定位置に達した押圧部材１６を直接検出するリミットスイッチ機能などを備えたマイクロコンピュータにより制御される。また、ディスクＡが回転するのに対して押圧部材１６が比較的ゆっくりと移動するように、ギア比などが適当に決められている。
【００２１】
清掃布１４は、たとえば不織布からなる。清掃布１４は、その両端が一対の巻き取りボビン１５ａ，１５ｂに取り付けられ、ディスクＡの読み取り面と押圧部材１６との間をすり抜けるように架け渡されている。このような清掃布１４は、押圧部材１６によってディスクＡ側に押し出された部分が読み取り面に接触し、この接触部分で読み取り面上のゴミを拭き取る。巻き取りボビン１５ａ，１５ｂの一方を手で回転させると、清掃布１４の未使用部分が読み取り面との接触部分まで繰り出され、使用済みの部分が巻き取られる。清掃布１４の巻き取り方向は、押圧部材１６が移動する方向とは交差するようになされている。また、押圧部材１６には、図４に示すように、清掃布１４を押圧する部分にゴムなどの弾性体からなるパッド１６Ａが設けられている。このパッド１６Ａにより読み取り面に対して清掃布１４が弾力的に接触した状態とされる。
【００２２】
次に、清掃手順について説明する。
【００２３】
清掃開始前には、カートリッジシェル１２をクリーナ本体から取り外した状態で、押圧部材１６が記録領域内周ラインＡ３より内側に位置するようにセットしておく。また、巻き取りボビン１５ａ，１５ｂの一方を回転させ、清掃布１４の未使用部分を繰り出しておく。その後、クリーナ本体内部にカートリッジシェル１２を装着し、減速ギア１１ｆに伝動ギア１３ａを噛み合わせる。さらに、読み取り面を下向きにしてハブＡ１をディスクスピンドル１１ｅに固定し、ディスクＡをクリーナ本体にセットする。
【００２４】
清掃開始時には、モータ１０の駆動に伴いディスクＡが回転し、同時に押圧部材１６がディスクＡの内周側から外周側へと移動し始める。このとき、押圧部材１６に押し出された清掃布１４の一部がディスクＡの読み取り面に接触し、この清掃布１４の接触部分により読み取り面上のゴミが拭き取られる。そして、押圧部材１６が移動するのに伴い、清掃布１４の接触部分もディスクＡの内周側から外周側へと移動する。そのため、読み取り面上においては、内周側から外周側へと連続的にゴミが拭き取られていく。
【００２５】
清掃終了時には、押圧部材１６がディスクＡの外周Ａ２より外側に位置した状態でモータ１０の駆動が停止し、それに応じてディスクＡの回転も停止する。このとき、押圧部材１６に押し出された清掃布１４の一部は、ディスクＡの記録領域外周ラインＡ４より外側に存在し、もはや読み取り面にも接触していないので、ディスクＡの記録領域上にゴミが集積することなく、拭き取り跡が残ることもない。
【００２６】
したがって、第１の実施形態によれば、ディスクＡの回転を停止して清掃を終了する時点では、ゴミの拭き取り部分として押圧部材１６に押し出された清掃部材の一部がディスクＡの記録領域上に無く、読み取り面とも接触しない状態とされるので、記録領域を含むディスクＡの読み取り面全体にわたりゴミの拭き取り跡を残さないようにすることができる。
【００２７】
次に、第２の実施形態について説明する。なお、先述した第１の実施形態と同様の点については、説明を省略する。
【００２８】
図５は、第２の実施形態の要部を示す上面図である。第２の実施形態に係るディスククリーナも、ディスクＡの専用クリーナであって、クリーナ本体の内部に、モータ２０、プーリー２１ａ、駆動ギア２１ｂ、プーリーベルト２１ｄ、ディスクスピンドル２１ｅ、カートリッジシェル２２、第１，第２連動ギア２３ａ，２３ｂ、押圧移動用ウォームギア２３ｄ、押圧移動用伝動ギア２３ｅ、移動ベルト２３ｆ、清掃布２４、巻き取りボビン２５ａ，２５ｂ、押圧部材２６、ガイドロッド２７などを備える。
【００２９】
モータ２０、プーリー２１ａ、駆動ギア２１ｂ、プーリーベルト２１ｄ、およびディスクスピンドル２１ｅは、クリーナ本体内部の所定箇所に設けられている。これら以外の第１，第２連動ギア２３ａ，２３ｂ、押圧移動用ウォームギア２３ｄ、押圧移動用伝動ギア２３ｅ、移動ベルト２３ｆ、清掃布２４、巻き取りボビン２５ａ，２５ｂ、押圧部材２６、ガイドロッド２７は、カートリッジシェル２２に設けられている。プーリー２１ａ、プーリーベルト２１ｄ、ディスクスピンドル２１ｅは、ディスクＡを回転させるディスク回転機構を構成する。駆動ギア２１ｂ、第１，２連動ギア２３ａ，２３ｂ、押圧移動用ウォームギア２３ｄ、押圧移動用伝動ギア２３ｅ、移動ベルト２３ｆ、ガイドロッド２７は、ディスクＡの径方向に押圧部材２６を移動させる移動機構を構成する。駆動ギア２１ｂ、第１連動ギア２３ａ、巻き取りボビン２５ａ，２５ｂは、清掃布２４を清掃中に自動的に巻き取るための巻き取り機構を構成する。
【００３０】
モータ２０が駆動すると、プーリー２１ａ、プーリーベルト２１ｄ、およびディスクスピンドル２１ｅを介してディスクＡが回転する。同時に、押圧部材２６は、駆動ギア２１ｂ、第１，２連動ギア２３ａ，２３ｂ、押圧移動用ウォームギア２３ｄ、押圧移動用伝動ギア２３ｅ、移動ベルト２３ｆ、ガイドロッド２７を介し、ディスクＡの径方向に沿って内周側から外周側へと移動する。押圧部材２６がディスクＡの外周Ａ２より外側の位置に達した時点でモータ２０の駆動が停止するなどの点は、第１の実施形態と同様である。
【００３１】
押圧部材２６は、清掃開始前、モータ２０を駆動させて図中矢印で示す方向とは反対方向に各ギアを回転させることにより、自動的にディスクＡの内周側にセットされる。このとき、第１，２連動ギア２３ａ，２３ｂが回転し、第２連動ギア２３ｂと同軸に固定された押圧移動用ウォームギア２３ｄが回転することで押圧部材２６が左方向に移動する。一方、第１連動ギア２３ａと巻き取りボビン２５ａとは、図示しないワンウェイクラッチを介して連結されている。そのため、第１連動ギア２３ａが図中矢印で示す方向とは反対方向に回転しても、巻き取りボビン２５ａは回転せずに静止した状態とされる。つまり、一方の巻き取りボビン２５ａは、第１連動ギア２３ａが図中矢印で示す方向に回転するときだけ同方向に回転し、他方の巻き取りボビン２５ｂは、清掃布２４が引き出されることで自ずと回転する。
【００３２】
清掃布２４は、押圧部材２６によってディスクＡ側に押し出された部分で読み取り面上のゴミを拭き取る点などは先述の実施形態と同様であるが、清掃中に一方の巻き取りボビン２５ａが回転するため、常に未使用部分が繰り出される。そのため、読み取り面に対する清掃布２４の接触部分は、押圧部材２６の移動とともにディスクＡの内周側から外周側へと移動しつつも、常にゴミの付着していない新しい部分とされる。
【００３３】
カートリッジシェル２２がクリーナ本体に取り付けられた後、清掃開始直前には、記録領域内周ラインＡ３より内側の位置へと押圧部材２６が自動的に移動する。
【００３４】
そして、清掃を開始すると、モータ２０の駆動に伴いディスクＡが回転し、同時に押圧部材２６がディスクＡの内周側から外周側へと移動し始める。このとき、同時に巻き取りボビン２５ａが回転するため、読み取り面との接触部分には、清掃布２４の未使用部分が繰り出される。そのため、読み取り面上においては、清掃布２４の接触部分が内周側から外周側へと連続的に移動しつつ、常にゴミの付着していない未使用部分によってゴミが拭き取られていく。
【００３５】
清掃終了時における押圧部材２６の位置は、先述の実施形態と同様にディスクＡの外周Ａ２より外側の位置とされ、これにより、ディスクＡの記録領域上にゴミの拭き取り跡が残ることはない。
【００３６】
したがって、第２の実施形態によっても、第１の実施形態と同様の効果が得られる。また、清掃中に清掃布２４が巻き取られることで常に新しい清掃布２４の一部が読み取り面に接触させられるので、ゴミの拭き取り効果をより高めることができる。清掃布２４が読み取り面から離れる瞬間にしても、その時点での接触部分に付着したゴミが少量とされるので、ゴミの取りこぼしを最小限に抑えることができる。
【００３７】
次に、第３の実施形態について説明する。なお、先述した第１あるいは第２の実施形態と同様の点については、説明を省略する。
【００３８】
図６は、第３の実施形態の要部を示す斜視図、図７〜図１１は、第３の実施形態による動作を説明するための説明図である。第３の実施形態に係るディスククリーナも、ディスクＡの専用クリーナである。クリーナ本体の内部には、押圧移動用モータ３０、押圧移動用円板３１、連結アーム３２、電磁アクチュエータ３３、支持リング３４、押圧部材３５、カートリッジシェル３６、清掃布３７、巻き取りボビン３８ａ，３８ｂ、巻き取り用モータ３９などを備える。
【００３９】
押圧移動用モータ３０、押圧移動用円板３１、連結アーム３２、電磁アクチュエータ３３、支持リング３４、押圧部材３５、および巻き取り用モータ３９は、クリーナ本体内部の所定箇所に設けられている。これら以外の清掃布３７と巻き取りボビン３８ａ，３８ｂとは、カートリッジシェル３６に設けられている。特に図示しないが、ディスク回転機構としては、専用のモータなどがクリーナ本体内部に内蔵されている。押圧移動用モータ３０、押圧移動用円板３１、連結アーム３２、電磁アクチュエータ３３、支持リング３４は、ディスクＡの径方向に押圧部材３５を移動させる移動機構を構成する。巻き取りボビン３８ａ，３８ｂ、巻き取り用モータ３９は、清掃布３７を清掃中に自動的に巻き取るための巻き取り機構を構成する。
【００４０】
押圧移動用円板３１の外周付近には、連結アーム３２の基端部がピン３１ａを介して回転自在に取り付けられている。連結アーム３２の先端部には、押圧部材３５が固定されている。この連結アーム３２は、ある程度自由な動きが可能に支持リング３４に挿通された状態で支持されている。このような連結アーム３２は、押圧移動用モータ３０の駆動により押圧移動用円板３１が回転すると、支持リング３４を中心に揺動する。そのため、連結アーム３２の先端部に固定された押圧部材３５は、清掃布３７の直下で概ね径方向に沿って円弧を描くように移動する。電磁アクチュエータ３３は、支持リング３４を上下に変位させる。具体的には、清掃布３７の直下を押圧部材３５が移動する際、支持リング３４が最上部まで引き上げられ、これにより押圧部材３５が清掃布３７を読み取り面側に押し出す。一方、清掃布３７の直下から外れた範囲を押圧部材３５が移動する際には、支持リング３４が最下部まで引き下げられるので、清掃布３７が読み取り面に対して接触しない状態とされる。巻き取りボビン３８ａには、接続ギア３９ａを介して巻き取り用モータ３９の駆動軸が連結されている。この巻き取りボビン３８ａが清掃中に回転するため、常に清掃布３７の未使用部分が繰り出される。清掃布３７の巻き取り方向は、清掃布３７の直下を押圧部材３５が接しながら移動する際の方向とは逆向きをなす。これにより、清掃布３７の同一部分が常に接触部分になることはない。
【００４１】
清掃手順としては、清掃開始直前、図６ないし図９に示すように、記録領域内周ラインＡ３より内側に押圧部材３５が位置する。また、支持リング３４が最上部に位置することで、押圧部材３５が清掃布３７の一部をディスクＡ側に押し出し、その清掃布３７の一部がディスクＡの読み取り面に接触する。
【００４２】
そして、ディスクＡを回転させて清掃を開始すると、押圧移動用モータ３０が駆動し、それに応じて押圧部材３５は、図７に破線で示す円弧状軌跡に沿ってディスクＡの内周側から外周側へと移動し始める。このとき、同時に巻き取りボビン３８ａが回転するため、読み取り面との接触部分には、清掃布３７の常に新しい部分が繰り出される。
【００４３】
図１０および図１１に示すように、ディスクＡの外周Ａ２より外側の位置に押圧部材３５が達すると、ディスクＡの回転が停止させられ、巻き取りボビン３８ａの回転も停止させられる。これにより、ディスクＡの記録領域上にゴミの拭き取り跡が残ることはない。
【００４４】
そして、次の清掃に備えるべく、押圧移動用モータ３０が引き続き駆動するとともに、支持リング３４が最下部に位置する。これにより、押圧部材３５は、図７に一点鎖線で示す円弧状軌跡に沿って移動し、清掃布３７から一旦離れた状態となる。最終的に、押圧部材３５は、再び清掃開始直前の位置まで戻る。
【００４５】
したがって、第３の実施形態によっても、第２実施形態と同様に、ゴミの拭き取り跡を残さないといった効果や、拭き取り効果をより高めるといった効果を得ることができる。
【００４６】
次に、第４の実施形態について説明する。なお、先述した第１ないし第３の実施形態と同様の点については、説明を省略する。
【００４７】
図１２は、第４の実施形態を示す上面図、図１３は、その側面図、図１４は、その要部を示す側面図である。第４の実施形態に係るディスククリーナも、ディスクＡの専用クリーナである。クリーナ本体の内部には、ディスク回転用モータ４０ａ、ディスク回転用ベルト４０ｂ、ディスク回転軸４０ｃ、ステージ移動用モータ４１ａ、プーリー４１ｂ、プーリーベルト４１ｃ、スライドステージ４２ａ、スライドガイド４２ｂ、清掃カートリッジ４３、清掃布４４、巻き取りボビン４５ａ，４５ｂ、押圧部材４６、巻き取り用モータ４７などを備える。
【００４８】
ディスク回転用モータ４０ａ、ディスク回転用ベルト４０ｂ、ディスク回転軸４０ｃ、ステージ移動用モータ４１ａ、プーリー４１ｂ、プーリーベルト４１ｃ、スライドステージ４２ａ、およびスライドガイド４２ｂは、クリーナ本体内部の所定箇所に設けられている。スライドステージ４２ａは、プーリーベルト４１ｃに連結されているとともに、ディスクＡの径方向に沿ってスライド可能となるようスライドガイド４２ｂに支持されている。これら以外の清掃カートリッジ４３、清掃布４４、巻き取りボビン４５ａ，４５ｂ、押圧部材４６、巻き取り用モータ４７は、スライドステージ４２ａ上に設けられている。特に、清掃布４４、巻き取りボビン４５ａ，４５ｂ、押圧部材４６については、清掃カートリッジ４３内に設けられている。清掃カートリッジ４３は、位置決め用のピンやボスを介してスライドステージ４２ａ上の定位置に固定されている。
【００４９】
ディスク回転用モータ４０ａ、ディスク回転用ベルト４０ｂ、ディスク回転軸４０ｃは、ディスクＡを回転させるディスク回転機構を構成する。ステージ移動用モータ４１ａ、プーリー４１ｂ、プーリーベルト４１ｃ、スライドステージ４２ａ、およびスライドガイド４２ｂは、ディスクＡの径方向に押圧部材４６を移動させる移動機構を構成する。巻き取りボビン４５ａ，４５ｂ、巻き取り用モータ４７は、清掃布４４を清掃中に自動的に巻き取るための巻き取り機構を構成する。
【００５０】
ディスク回転用モータ４０ａが駆動すると、ディスク回転用ベルト４０ｂおよびディスク回転軸４０ｃを介してディスクＡが回転する。ステージ移動用モータ４１ａが駆動すると、プーリー４１ｂ、プーリーベルト４１ｃ、およびスライドガイド４２ｂを介してスライドステージ４２ａがディスクＡの径方向に水平移動する。巻き取り用モータ４７が駆動すると、清掃カートリッジ４３内に収容された一方の巻き取りボビン４５ａが回転し、清掃布４４が巻き取られる。
【００５１】
図１４に示すように、押圧部材４６は、ローラからなる。この押圧部材４６は、バネ４６ａや支持部材４６ｂを介して清掃布４４を下方から弾性的に押し上げるように設けられている。清掃布４４が巻き取られる際には、この清掃布４４に密着した状態で押圧部材４６が回転する。清掃布４４は、押圧部材４６によってディスクＡ側に押し出された部分で読み取り面上のゴミを拭き取る点や、清掃中に一方の巻き取りボビン４５ａが回転するなどの点で先述の実施形態と同様である。また、各モータ４０ａ，４１ａ，４７の制御も、先述した清掃手順と同様の手順とした上で、ディスクＡの回転や押圧部材４６の移動、さらには清掃布４４の巻き取りなどを自動的に行う点では同様である。
【００５２】
先述の実施形態と相違する点としては、清掃カートリッジ４３そのものがスライドステージ４２ａとともにディスクＡの内周側から外周側へと移動させられる点にある。このような実施形態としても、押圧部材４６がディスクＡの内周側から外周側へと移動する点では何ら変わりない。また、押圧部材４６がディスクＡの読み取り面に対して清掃布４４を弾性的に押し付けているので、清掃布４４で拭き取りにくい比較的大きくて硬質のゴミなどによる読み取り面の傷付きを効果的に防止することができる。その他の効果としては、先述した実施形態と同様の効果を挙げることができる。
【００５３】
次に、第５の実施形態について説明する。なお、先述した第１ないし第４の実施形態と同様の点については、説明を省略する。
【００５４】
図１５は、第５の実施形態を示す斜視図、図１６は、その断面図である。この実施形態に係るディスククリーナは、たとえばＭＤ、ＭＯディスクなどのディスクカートリッジＢ０に収容された内蔵ディスクＢ専用のものである。クリーナ本体５０内には、ディスクカートリッジＢ０がセットされる。ディスクカートリッジＢ０をセットした後、ディスクカートリッジＢ０のシャッタＢ１が開けられることで開口部Ｂ２が外部に臨む状態とされ、この開口部Ｂ２を通じて内蔵ディスクＢを清掃する。内蔵ディスクＢの清掃には、特に図示しないが、先述した第１ないし第３の実施形態と同様の構成を備えたカートリッジシェル１２，２２，３６などが用いられる。カートリッジシェル１２，２２，３６は、第１ないし第３の実施形態とは上下逆さまにした姿勢で開口部Ｂ２に清掃布１４，２４，３７が対面するようにセットされる。
【００５５】
特に第１ないし第３の実施形態と相違する点として、クリーナ本体５０には、図１６に良く示すように、開口部Ｂ２の外側縁部Ｂ２ａと内蔵ディスクＢの外周Ｂ３との間に生じる隙間からディスクカートリッジＢ０外へと延びる薄板状の板状部材５１が設けられている。板状部材５１の先端には、開口部Ｂ２の外側縁部Ｂ２ａに引っかかる爪５１ａが設けられており、その基端は、ヒンジを介して回転可能に軸５２に取り付けられている。このような板状部材５１については、ディスクカートリッジＢ０のシャッタＢ１を開けた後、開口部Ｂ２の外側縁部Ｂ２ａに爪５１ａをかけるようにしてセットする。さらにその後、開口部Ｂ２の上方にカートリッジシェル１２，２２，３６をセットした後、内蔵ディスクＢの清掃が先述した清掃手順と同様の手順とした上で行われる。
【００５６】
そうした場合、清掃終了時には、押圧部材１６，２６，３５が板状部材５１の直上に位置した状態となる。このとき、押圧部材１６，２６，３５によって内蔵ディスクＢ側（下方）に押し出された清掃布１４，２４，３７の一部から十分付着しきれなかったゴミがこぼれ落ちることもある。たとえゴミがこぼれ落ちたとしても、そのようなゴミは、ほとんどが板状部材５１に受け止められるので、記録領域を含む内蔵ディスクＢの読み取り面上や、ディスクカートリッジＢ０内にゴミを残さないようにすることができる。
【００５７】
したがって、第５の実施形態によれば、ＭＤ、ＭＯディスクなどの内蔵ディスクＢの清掃に適したものとして利用でき、先述した実施形態と同様の効果を得ることができる。
【００５８】
なお、本発明は、上記の各実施形態に限定されるものではない。
【００５９】
たとえば、第１の実施形態の変形例としては、図１７に示すように、清掃布１４を押圧する部分としてゴムなどの弾性体からなり、ある程度尖った尖端形状のパッド１６Ｂを押圧部材１６に設けるようにしても良い。このようなパッド１６Ｂによれば、ディスクＡの読み取り面に対して清掃布１４を線接触させた状態で弾性的に押し付けるので、比較的大きくて硬質のゴミなどを清掃布１４に巻き込みにくくし、そのようなゴミによる読み取り面の傷付きを効果的に防止することができる。もちろん、このようなパッド１６Ｂは、第１の実施形態に限らず他の実施形態でも採用することができる。
【００６０】
第１，２の実施形態の変形例としては、図１８に示すように、同じ構造を備えたカートリッジシェル１２，２２を２セット装備するとともに、これらの間にディスクＡを配置し、ディスクＡの両面を同時に清掃する構成としても良い。また、第３の実施形態の変形例としても、図１９に示すように、同様の構成としても良い。そうした場合、片面の清掃ごとにディスクＡをひっくり返す必要が無く、両面タイプのディスクＡを手間無く迅速に清掃することができる。
【００６１】
上記の各実施形態では、押圧部材１６，２６，３５，４６がディスクＡ，Ｂの内周側から外周側に移動するものとしたが、逆に、外周側から内周側へと移動させるようにしても良い。そうした場合、押圧部材１６，２６，３５，４６は、清掃終了時の時点で記録領域内周ラインＡ３よりも内側に位置するように移動させられる。
【００６２】
また、ディスクＡ，Ｂの回転が停止する清掃終了時には、押圧部材１６，２６，３５，４６がディスクＡ，Ｂの外周Ａ２，Ｂ３より完全に外側に無くても良く、記録領域外に位置しさえすれば良い。
【００６３】
【図面の簡単な説明】
【図１】
第１の実施形態の要部を示す上面図である。
【図２】
第１の実施形態の一部を示す斜視図である。
【図３】
第１の実施形態の一部を示す側面図である。
【図４】
第１の実施形態の一部を示す斜視図である。
【図５】
第２の実施形態の要部を示す上面図である。
【図６】
第３の実施形態の要部を示す斜視図である。
【図７】
第３の実施形態による動作を説明するための説明図である。
【図８】
第３の実施形態による動作を説明するための説明図である。
【図９】
第３の実施形態による動作を説明するための説明図である。
【図１０】
第３の実施形態による動作を説明するための説明図である。
【図１１】
第３の実施形態による動作を説明するための説明図である。
【図１２】
第４の実施形態を示す上面図である。
【図１３】
第４の実施形態を示す側面図である。
【図１４】
第４の実施形態の要部を示す側面図である。
【図１５】
第５の実施形態を示す斜視図である。
【図１６】
第５の実施形態を示す断面図である。
【図１７】
押圧部材の変形例を示す斜視図である。
【図１８】
第１，２の実施形態の変形例を説明するための説明図である。
【図１９】
第３の実施形態の変形例を説明するための説明図である。
【国際調査報告】
2004055810.tif 000022
2004055810.tif 000023
2004055810.tif 000024
2004055810.tif 000025